(57)【特許請求の範囲】
【請求項１】
各入力クロック信号（Ａ１，Ｂ１）のための２つの入力部と、ポンピングされた出力ポテンシャル（ＶＰＵＭＰ）を出力させるための出力部と、
それぞれ第１および第２の電極（ＶＡ１，ＶＢ１）を有する２つのポンピングコンデンサ（ＣｐｕｍｐＡ，ＣｐｕｍｐＢ）とを備え、
ポンピングコンデンサの第１の電極は、それぞれ上記入力部と接続され、
ポンピングコンデンサの第２の電極（ＶＡ１，ＶＢ１）は、それぞれ第１の回路ユニット（Ｔ１，Ｔ４；Ｄ１，Ｄ４）を介して供給ポテンシャル（グランド）と接続され、かつ第２の回路ユニット（Ｔ２，Ｔ３；Ｄ２，Ｄ３）を介して上記出力部と接続され、
さらに、両方のポンピングコンデンサの第２の電極（ＶＡ１，ＶＢ１）の間に制御可能な区間を配置した制御可能な短絡素子（Ｓ）を備えているチャージポンプにおいて、
短絡素子（Ｓ）の制御接続部を第１のポンピングコンデンサ（ＣｐｕｍｐＡ）の第２の電極（ＶＡ１）と接続させている第１のスイッチ素子（Ｔ５）と、
短絡素子（Ｓ）の制御接続部を第２のポンピングコンデンサ（ＣｐｕｍｐＢ）の第２の電極（ＶＢ１）と接続させている第２のスイッチ素子（Ｔ６）とを備えているチャージポンプであって、
上記第１のスイッチ素子(Ｔ５)および第２のスイッチ素子(Ｔ６)が、短絡素子(Ｓ)が導通している場合に遮断されるように設計されており、
第１のポンピングコンデンサ(ＣｐｕｍｐＡ)の第２の電極(ＶＡ１)に接続された第１のスイッチ素子(Ｔ５)が、第１のポンピングコンデンサ(ＣｐｕｍｐＡ)の第２の電極(ＶＡ１)が正の値にポンピングされたときに通電されるように設計されており、
さらに、第２のポンピングコンデンサ(ＣｐｕｍｐＢ)の第２の電極(ＶＢ１)に接続された第２のスイッチ素子（Ｔ６）が、第２のポンピングコンデンサ(ＣｐｕｍｐＢ)の第２の電極(ＶＢ１)が正の値にポンピングされたときに通電されるように設計されていることを特徴とするチャージポンプ。
【請求項２】
各入力クロック信号（Ａ１，Ｂ１）のための２つの入力部と、ポンピングされた出力ポテンシャル（ＶＰＵＭＰ）を出力させるための出力部と、
それぞれ第１および第２の電極（ＶＡ１，ＶＢ１）を有する２つのポンピングコンデンサ（ＣｐｕｍｐＡ，ＣｐｕｍｐＢ）とを備え、
ポンピングコンデンサの第１の電極は、それぞれ上記入力部と接続され、
ポンピングコンデンサの第２の電極（ＶＡ１，ＶＢ１）は、それぞれ第１の回路ユニット（Ｔ１，Ｔ４；Ｄ１，Ｄ４）を介して供給ポテンシャル（グランド）と接続され、かつ第２の回路ユニット（Ｔ２，Ｔ３；Ｄ２，Ｄ３）を介して上記出力部と接続され、
さらに、両方のポンピングコンデンサの第２の電極（ＶＡ１，ＶＢ１）の間に制御可能な区間を配置した制御可能な短絡素子（Ｓ）を備えているチャージポンプにおいて、
短絡素子（Ｓ）の制御接続部を第１のポンピングコンデンサ（ＣｐｕｍｐＡ）の第２の電極（ＶＡ１）と接続させている第１のスイッチ素子（Ｔ５）と、
短絡素子（Ｓ）の制御接続部を第２のポンピングコンデンサ（ＣｐｕｍｐＢ）の第２の電極（ＶＢ１）と接続させている第２のスイッチ素子（Ｔ６）とを備えているチャージポンプであって、
短絡素子を入力クロック信号（Ａ１，Ｂ１）のクロックエッジ直前において通電させ、再び遮断させる制御信号（ｃｈａｎ）が短絡素子の制御接続部に供給されていることを特徴とするチャージポンプ。
【請求項３】
短絡素子（Ｓ）は、第１の回路ユニット（Ｔ１，Ｔ４；Ｄ１，Ｄ４）と第２の回路ユニット（Ｔ２，Ｔ３；Ｄ２，Ｄ３）とが導通していないときに常に導通している請求項２に記載のチャージポンプ。
【請求項４】
制御信号（ｃｈａｎ）が周期的である請求項２または３に記載のチャージポンプ。
【請求項５】
第１の回路ユニット（Ｔ１，Ｔ４；Ｄ１，Ｄ４）と第２の回路ユニット（Ｔ２，Ｔ３；Ｄ２，Ｄ３）との少なくとも一部分がスイッチ素子（Ｔ１，Ｔ２，Ｔ３，Ｔ４）であり、該スイッチ素子（Ｔ１，Ｔ２，Ｔ３，Ｔ４）は、その制御可能な区間を介してポンピングコンデンサ（ＣｐｕｍｐＡ，ＣｐｕｍｐＢ）の第２の電極（ＶＡ１，ＶＢ１）を供給ポテンシャル（グランド）または上記出力部と接続させている請求項２〜４の何れか１項に記載のチャージポンプ。
【請求項６】
各入力クロック信号（Ａ１，Ｂ１）のための２つの入力部と、ポンピングされた出力ポテンシャル（ＶＰＵＭＰ）を出力させるための出力部と、
それぞれ第１および第２の電極（ＶＡ１，ＶＢ１）を有する２つのポンピングコンデンサ（ＣｐｕｍｐＡ，ＣｐｕｍｐＢ）とを備え、
ポンピングコンデンサの第１の電極は、それぞれ上記入力部と接続され、
ポンピングコンデンサの第２の電極（ＶＡ１，ＶＢ１）は、それぞれ第１の回路ユニット（Ｔ１，Ｔ４；Ｄ１，Ｄ４）を介して供給ポテンシャル（グランド）と接続され、かつ第２の回路ユニット（Ｔ２，Ｔ３；Ｄ２，Ｄ３）を介して上記出力部と接続され、
さらに、両方のポンピングコンデンサの第２の電極（ＶＡ１，ＶＢ１）の間に制御可能な区間を配置した制御可能な短絡素子（Ｓ）を備えているチャージポンプにおいて、
短絡素子（Ｓ）の制御接続部を第１のポンピングコンデンサ（ＣｐｕｍｐＡ）の第２の電極（ＶＡ１）と接続させている第１のスイッチ素子（Ｔ５）と、
短絡素子（Ｓ）の制御接続部を第２のポンピングコンデンサ（ＣｐｕｍｐＢ）の第２の電極（ＶＢ１）と接続させている第２のスイッチ素子（Ｔ６）とを備えているチャージポンプであって、
第１の回路ユニット（Ｔ１，Ｔ４；Ｄ１，Ｄ４）と第２の回路ユニット（Ｔ２，Ｔ３；Ｄ２，Ｄ３）との少なくとも一部分がスイッチ素子（Ｔ１，Ｔ２，Ｔ３，Ｔ４）であり、該スイッチ素子（Ｔ１，Ｔ２，Ｔ３，Ｔ４）は、その制御可能な区間を介してポンピングコンデンサ（ＣｐｕｍｐＡ，ＣｐｕｍｐＢ）の第２の電極（ＶＡ１，ＶＢ１）を供給ポテンシャル（グランド）または上記出力部と接続させていることを特徴とするチャージポンプ。
【請求項７】
第１の回路ユニット（Ｔ１，Ｔ４；Ｄ１，Ｄ４）と第２の回路ユニット（Ｔ２，Ｔ３；Ｄ２，Ｄ３）との少なくとも一部分がダイオード（Ｄ１，Ｄ２，Ｄ３，Ｄ４）である請求項２〜４の何れか１項に記載のチャージポンプ。
【請求項８】
各入力クロック信号（Ａ１，Ｂ１）のための２つの入力部と、ポンピングされた出力ポテンシャル（ＶＰＵＭＰ）を出力させるための出力部と、
それぞれ第１および第２の電極（ＶＡ１，ＶＢ１）を有する２つのポンピングコンデンサ（ＣｐｕｍｐＡ，ＣｐｕｍｐＢ）とを備え、
ポンピングコンデンサの第１の電極は、それぞれ上記入力部と接続され、
ポンピングコンデンサの第２の電極（ＶＡ１，ＶＢ１）は、それぞれ第１の回路ユニット（Ｔ１，Ｔ４；Ｄ１，Ｄ４）を介して供給ポテンシャル（グランド）と接続され、かつ第２の回路ユニット（Ｔ２，Ｔ３；Ｄ２，Ｄ３）を介して上記出力部と接続され、
さらに、両方のポンピングコンデンサの第２の電極（ＶＡ１，ＶＢ１）の間に制御可能な区間を配置した制御可能な短絡素子（Ｓ）を備えているチャージポンプにおいて、
短絡素子（Ｓ）の制御接続部を第１のポンピングコンデンサ（ＣｐｕｍｐＡ）の第２の電極（ＶＡ１）と接続させている第１のスイッチ素子（Ｔ５）と、
短絡素子（Ｓ）の制御接続部を第２のポンピングコンデンサ（ＣｐｕｍｐＢ）の第２の電極（ＶＢ１）と接続させている第２のスイッチ素子（Ｔ６）とを備えているチャージポンプであって、
第１の回路ユニット（Ｔ１，Ｔ４；Ｄ１，Ｄ４）と第２の回路ユニット（Ｔ２，Ｔ３；Ｄ２，Ｄ３）との少なくとも一部分がダイオード（Ｄ１，Ｄ２，Ｄ３，Ｄ４）であることを特徴とするチャージポンプ。
【請求項９】
第１のスイッチ素子（Ｔ５）の制御接続部を供給ポテンシャル（グランド）と接続させている第７のスイッチ素子（Ｔ７）と、
第１のスイッチ素子（Ｔ５）の制御接続部を第２のポンピングコンデンサ（ＣｐｕｍｐＢ）の第２の電極（ＶＢ１）と接続させている第８のスイッチ素子（Ｔ８）と、
第２のスイッチ素子（Ｔ６）の制御接続部を第１のポンピングコンデンサ（ＣｐｕｍｐＡ）の第２の電極（ＶＡ１）と接続させている第９のスイッチ素子（Ｔ９）と、
第２のスイッチ素子（Ｔ６）の制御接続部を供給ポテンシャル（グランド）と接続させている第１０のスイッチ素子（Ｔ１０）とを備えている請求項２〜８の何れか１項に記載のチャージポンプ。
【請求項１０】
各入力クロック信号（Ａ１，Ｂ１）のための２つの入力部と、ポンピングされた出力ポテンシャル（ＶＰＵＭＰ）を出力させるための出力部と、
それぞれ第１および第２の電極（ＶＡ１，ＶＢ１）を有する２つのポンピングコンデンサ（ＣｐｕｍｐＡ，ＣｐｕｍｐＢ）とを備え、
ポンピングコンデンサの第１の電極は、それぞれ上記入力部と接続され、
ポンピングコンデンサの第２の電極（ＶＡ１，ＶＢ１）は、それぞれ第１の回路ユニット（Ｔ１，Ｔ４；Ｄ１，Ｄ４）を介して供給ポテンシャル（グランド）と接続され、かつ第２の回路ユニット（Ｔ２，Ｔ３；Ｄ２，Ｄ３）を介して上記出力部と接続され、
さらに、両方のポンピングコンデンサの第２の電極（ＶＡ１，ＶＢ１）の間に制御可能な区間を配置した制御可能な短絡素子（Ｓ）を備えているチャージポンプにおいて、
短絡素子（Ｓ）の制御接続部を第１のポンピングコンデンサ（ＣｐｕｍｐＡ）の第２の電極（ＶＡ１）と接続させている第１のスイッチ素子（Ｔ５）と、
短絡素子（Ｓ）の制御接続部を第２のポンピングコンデンサ（ＣｐｕｍｐＢ）の第２の電極（ＶＢ１）と接続させている第２のスイッチ素子（Ｔ６）とを備えているチャージポンプであって、
第１のスイッチ素子（Ｔ５）の制御接続部を供給ポテンシャル（グランド）と接続させている第７のスイッチ素子（Ｔ７）と、
第１のスイッチ素子（Ｔ５）の制御接続部を第２のポンピングコンデンサ（ＣｐｕｍｐＢ）の第２の電極（ＶＢ１）と接続させている第８のスイッチ素子（Ｔ８）と、
第２のスイッチ素子（Ｔ６）の制御接続部を第１のポンピングコンデンサ（ＣｐｕｍｐＡ）の第２の電極（ＶＡ１）と接続させている第９のスイッチ素子（Ｔ９）と、
第２のスイッチ素子（Ｔ６）の制御接続部を供給ポテンシャル（グランド）と接続させている第１０のスイッチ素子（Ｔ１０）とを備えていることを特徴とするチャージポンプ。
【請求項１１】
第７のスイッチ素子（Ｔ７）の制御接続部および第１０のスイッチ素子（Ｔ１０）の制御接続部が、短絡素子（Ｓ）の制御接続部と接続され、
第８のスイッチ素子（Ｔ８）の制御接続部が第２のスイッチ素子（Ｔ６）の制御接続部と接続され、第９のスイッチ素子（Ｔ９）の制御接続部が第１のスイッチ素子（Ｔ５）の制御接続部と接続されている請求項９または１０に記載のチャージポンプ。
【請求項１２】
一方の電極が第１のスイッチ素子（Ｔ５）の制御接続部と接続され、他方の電極が第１のポンピング信号（Ａ１ｃｈａｎ）と接続されている第３のポンピングコンデンサ（ＣＡ１）と、
一方の電極が短絡素子（Ｓ）の制御接続部と接続され、他方の電極が第２のポンピング信号（ｃｈａ）と接続されている第４のポンピングコンデンサ（Ｃｃｈａ）と、
一方の電極が第２のスイッチ素子（Ｔ６）の制御接続部と接続され、他方の電極が第３のポンピング信号（Ｂ１ｃｈａ１）と接続されている第５のポンピングコンデンサ（ＣＢ１）とを備えている請求項２〜１１の何れか１項に記載のチャージポンプ。
【請求項１３】
各入力クロック信号（Ａ１，Ｂ１）のための２つの入力部と、ポンピングされた出力ポテンシャル（ＶＰＵＭＰ）を出力させるための出力部と、
それぞれ第１および第２の電極（ＶＡ１，ＶＢ１）を有する２つのポンピングコンデンサ（ＣｐｕｍｐＡ，ＣｐｕｍｐＢ）とを備え、
ポンピングコンデンサの第１の電極は、それぞれ上記入力部と接続され、
ポンピングコンデンサの第２の電極（ＶＡ１，ＶＢ１）は、それぞれ第１の回路ユニット（Ｔ１，Ｔ４；Ｄ１，Ｄ４）を介して供給ポテンシャル（グランド）と接続され、かつ第２の回路ユニット（Ｔ２，Ｔ３；Ｄ２，Ｄ３）を介して上記出力部と接続され、
さらに、両方のポンピングコンデンサの第２の電極（ＶＡ１，ＶＢ１）の間に制御可能な区間を配置した制御可能な短絡素子（Ｓ）を備えているチャージポンプにおいて、
短絡素子（Ｓ）の制御接続部を第１のポンピングコンデンサ（ＣｐｕｍｐＡ）の第２の電極（ＶＡ１）と接続させている第１のスイッチ素子（Ｔ５）と、
短絡素子（Ｓ）の制御接続部を第２のポンピングコンデンサ（ＣｐｕｍｐＢ）の第２の電極（ＶＢ１）と接続させている第２のスイッチ素子（Ｔ６）とを備えているチャージポンプであって、
一方の電極が第１のスイッチ素子（Ｔ５）の制御接続部と接続され、他方の電極が第１のポンピング信号（Ａ１ｃｈａｎ）と接続されている第３のポンピングコンデンサ（ＣＡ１）と、
一方の電極が短絡素子（Ｓ）の制御接続部と接続され、他方の電極が第２のポンピング信号（ｃｈａ）と接続されている第４のポンピングコンデンサ（Ｃｃｈａ）と、
一方の電極が第２のスイッチ素子（Ｔ６）の制御接続部と接続され、他方の電極が第３のポンピング信号（Ｂ１ｃｈａ１）と接続されている第５のポンピングコンデンサ（ＣＢ１）とを備えていることを特徴とするチャージポンプ。
【発明の詳細な説明】
本発明はチャージポンプに関するものである。
【０００１】
種々のチャージポンプは、米国特許第４，７４０，７１５Ａ公報、米国特許第５，１２６，５９０Ａ号公報、米国特許第５，２０２，５８８Ａ号公報、および米国特許第５，３４３，０８８Ａ号公報に記載されている。以下では、図１と図２を用いて、チャージポンプの基本的な動作を説明することにする。
【０００２】
図１は、２つのポンピングコンデンサＣｐｕｍｐＡ，ＣｐｕｍｐＢを備えたチャージポンプを示すものであり、これらポンピングコンデンサＣｐｕｍｐＡ，ＣｐｕｍｐＢには、それぞれ一方の電極に入力クロック信号Ａ１，Ｂ１が供給される。これらポンピングコンデンサの入力クロック信号Ａ１，Ｂ１とは反対側の電極ＶＡ１，ＶＢ１は、トランジスタＴ１，Ｔ４を介してグランドと接続され、且つ他のトランジスタＴ２，Ｔ３を介してチャージポンプの出力部と接続されている。トランジスタＴ１〜Ｔ４は、ｐチャネル型のものである。このチャージポンプは、負荷容量ＣＬ を有する負荷を供給する。トランジスタＴ１〜Ｔ４の制御接続部は、異なる制御信号ＤＩＳＡ１，ＤＩＳＢ１，Ａ２，Ｂ２と接続されている。
【０００３】
図２は、入力クロック信号Ａ１，Ｂ１および制御信号ＤＩＳＡ１，ＤＩＳＢ１，Ａ２，Ｂ２の変化、回路結節点ＶＡ１，ＶＡ２のポテンシャルの変化、チャージポンプの出力部における、ポンピングされた出力信号ＶＰＵＭＰの変化を示している。入力クロック信号Ａ１，Ｂ１の各クロックエッジ（Ｔａｋｔｆｌａｎｋｅ）により、ポンピングコンデンサＣｐｕｍｐＡ，ＣｐｕｍｐＢの入力部とは反対側の電極が再充填される。この場合、一方の電極を出力ポテンシャルの値から正の値へポンピングさせ、他方の電極を０Ｖから負の値へポンピングさせなくてはならない。
【０００４】
本発明の課題は、負の出力ポテンシャルを生じさせることのできるチャージポンプを提供することである。
【０００５】
この課題は、請求項１に記載のチャージポンプにより解決される。本発明の有利な構成は、従属項の対象である。
【０００６】
［発明の要約］
本発明によるチャージポンプは制御可能な短絡素子を有し、その制御可能な区間は、チャージポンプの入力部とは反対側にある、両方のコンデンサの電極の間に配置されている。短絡素子により、所望の時点で両方のポンピングコンデンサの第２の電極間でチャージング補償（Ｌａｎｄｕｎｇｓａｕｓｇｌｅｉｃｈ ）を行うことができるため有利である。
【０００７】
短絡素子は、短絡素子が入力クロック信号のクロックエッジ直前で導通してチャージング補償を生じさせ、次に再び遮断され、その後クロックエッジが生じるようにその制御接続部を介して制御されることが特に好ましい。ポンピングコンデンサの第２の電極のポテンシャルは、各ポンピング周期の間で、まず短絡素子を介してその算術的な平均値へ補償され、その後、そのレベルは入力クロック信号をポンピングすることにより変化させられる。その結果、第２の電極におけるポテンシャルのピーク値が量的に増大する。このため、本発明のような短絡がない場合と比べて、量的により大きな出力ポテンシャルが達成される。その短絡により、第２の電極におけるポテンシャル変化はある程度すでに生じており、入力クロック信号によって、その後のポテンシャルは増大または低下するようになる。これにより、その後は入力クロック信号のストロークによって、第２の電極で量的により大きなポテンシャルが発生する。
【０００８】
他の構成によれば、短絡素子が導通している場合には、常に第１および第２の回路ユニットは導通していない。これは、ポンピングコンデンサの第２の電極を短絡させている間、供給ポテンシャルおよびポンピングされた出力ポテンシャルへの影響を阻止する。
【０００９】
制御信号は周期的であることが好ましい。これにより、各ポンピング周期は本発明による態様で行われる。
【００１０】
第１および第２のスイッチ素子は、例えば、トランジスタ或いはダイオードのようなスイッチ素子を含んでいてもよい。
【００１１】
他の構成によれば、チャージポンプは、短絡素子の制御接続部を第１のポンピングコンデンサの第２の電極と接続させている第１のスイッチ素子と、短絡素子の制御接続部を第２のポンピングコンデンサの第２の電極と接続させている第２のスイッチ素子とを備えている。両スイッチ素子により、短絡素子の制御接続部におけるポテンシャルを、所望の時点で両方の第２の電極のうちの一方のポテンシャルに整合させることができる。
【００１２】
［好ましい実施の形態の詳細な説明］
次に、本発明を図面を用いてより詳細に説明する。
【００１３】
図３に図示した本発明によるチャージポンプの第１実施形態は、すでに図１に関し述べた構成要素を備えている。この場合、ポンピングコンデンサＣｐｕｍｐＡ，ＣｐｕｍｐＢの第１の電極は、入力クロックパルスＡ１，Ｂ１を供給するチャージポンプの入力と接続されている。ポンピングコンデンサの第２の電極ＶＡ１，ＶＢ１は、一方ではｐチャネルトランジスタＴ１，Ｔ４を介してグランドと接続され、他方ではｐチャネルトランジスタＴ２，Ｔ３を介してチャージポンプの出力と接続され、この出力にポンピングされた出力ポテンシャルＶＰＵＭＰを発生させる。また、この出力を介して、チャージポンプは容量性負荷ＣＬ を蓄積する。トランジスタＴ１〜Ｔ４の制御接続部には、制御信号ＤＩＳＡ１，ＤＩＳＢ１，Ａ２，Ｂ２が供給される。さらに、ポンピングコンデンサＣｐｕｍｐＡ，ＣｐｕｍｐＢの第２の電極は、他のｐチャネルトランジスタの形態の短絡素子Ｓを介して互いに接続されている。短絡素子Ｓの制御接続部には、制御信号ｃｈａｎが供給される。
【００１４】
図４は、図３の実施形態に対し、入力クロックパルスＡ１，Ｂ１の変化、制御信号ＤＩＳＡ１，ＤＩＳＢ１，Ａ２，Ｂ２，ｃｈａｎの変化、ポンピングコンデンサＣｐｕｍｐＡ，ＣｐｕｍｐＢの第２の電極におけるポテンシャルの変化、およびチャージポンプの出力部におけるポンピングされた出力ポテンシャルＶＰＵＭＰの変化を例示したものである。これからわかるように、短絡素子Ｓが導通している場合（制御信号ｃｈａｎは低レベル）には、トランジスタＴ１〜Ｔ４は遮断されている。短絡素子Ｓは、互いに逆方向の入力クロック信号Ａ１，Ｂ１がレベル交替する前に短時間導通接続され、その結果、ポンピングコンデンサの電極ＶＡ１とＶＢ１との間でチャージング補償が行われる。
【００１５】
本実施形態のチャージポンプは、負のポンピングされた出力ポテンシャルＶＰＵＭＰを生成するために用いられる。したがって、第２の電極ＶＡ１，ＶＢ１におけるポテンシャルは、短絡素子Ｓの制御接続部に負のポテンシャルが発生する前に、グランドポテンシャル（０Ｖ）または出力ポテンシャルＶＰＵＭＰの値を交互に受け取る。すなわち、一方のポンピングコンデンサＣｐｕｍｐＢの第２の電極ＶＢ１が、対応するトランジスタＴ３を介して、チャージポンプの出力と導通接続されていれば、他方のポンピングコンデンサＣｐｕｍｐＡの第２の電極ＶＡ１は、対応するトランジスタＴ１を介して常にグランドと導通接続され、或いはその反対の関係も成り立つ。第２の電極ＶＡ１，ＶＢ１のポテンシャルが０Ｖまたは出力ポテンシャルＶＰＵＭＰの値を受けると、対応するトランジスタが遮断され、その結果、引き続き４つのすべてのトランジスタＴ１〜Ｔ４が遮断される。このことは、入力クロック信号Ａ１，Ｂ１とは異なり、周期的な制御信号ＤＩＳＡ１，ＤＩＳＢ１，Ａ２，Ｂ２が非対称なクロックパルスであることを意味している。入力クロック信号Ａ１，Ｂ１の次のクロックパルスエッジの前の時間であって、４つのトランジスタＴ１〜Ｔ４が遮断されている上記時間内に、短絡素子Ｓは制御信号ｃｈａｎを介して導通される。この時点でポンピングコンデンサの第２の電極ＶＡ１，ＶＢ１の間でチャージング補償を行うことにより、両電極に、出力ポテンシャルＶＰＵＭＰの実際値と０Ｖとの算術的な平均値に対応するポテンシャルが発生する。遅くとも入力クロック信号Ａ１，Ｂ１の次のエッジにより、短絡素子Ｓが再び遮断され、その結果第２の電極ＶＡ１，ＶＢ１のポテンシャルは、入力クロック信号によって逆の最大値または最小値へポンピングされる。
【００１６】
図４は、出力ポテンシャルＶＰＵＭＰが、まだその最終的な負の値を受け取っていない期間を示しているものであるため、第２の電極ＶＡ１，ＶＢ１におけるポテンシャルの正のピーク値と負のピーク値とは、入力クロック信号Ａ１，Ｂ１のそれぞれ半周期で負の方向へシフトしている。同様のことは、短絡素子Ｓが導通している段階で発生する平均値に対しても言える。
【００１７】
図５は、本発明によるチャージポンプの第２実施形態を示している。この第２実施形態が図３の実施形態と異なるのは、ｐチャネルトランジスタＴ１〜Ｔ４の替わりにダイオードＤ１〜Ｄ４が設けられている点である。これにより、制御信号ＤＩＳＡ１，ＤＩＳＢ１，Ａ２，Ｂ２は省略される。入力クロック信号Ａ１，Ｂ１および短絡素子Ｓの制御信号ｃｈａｎは、図４に図示した実施形態に対しても、図４に示した変化を有する。ポンピングコンデンサＣｐｕｍｐＡ，ＣｐｕｍｐＢの第２の電極ＶＡ１，ＶＢ１におけるポテンシャルおよび出力ポテンシャルも、図４に図示したようになる。しかし、第２の電極ＶＡ１，ＶＢ１におけるポテンシャルの最大値（ピーク値）は、ダイオードＤ１〜Ｄ４の使用電圧の値だけ量的に減少する。
【００１８】
図６は、本発明によるチャージポンプの他の実施形態の一部分を示している。この実施形態は、図３に図示した構成要素を備え、さらに図６に図示したような構成要素を備えている。図６に示すように、両ポンピングコンデンサＣｐｕｍｐＡ，ＣｐｕｍｐＢの第２の電極ＶＡ１，ＶＢ１の間には、図３の短絡素子Ｓが設けられている。短絡素子Ｓの制御接続部は、第５のトランジスタＴ５を介して、第１のポンピングコンデンサＣｐｕｍｐＡの第２の電極ＶＡ１と接続され、且つ第６のトランジスタＴ６を介して、第２のポンピングコンデンサＣｐｕｍｐＢの第２の電極ＶＢ１と接続されている。
【００１９】
図６に図示した部分回路には、３つのポンピング信号Ａ１ｃｈａ１，ｃｈａ，Ｂ１ｃｈａ１が送られる。第１のポンピング信号Ａ１ｃｈａ１は、第３のポンピングコンデンサＣＡ１を介して、第５のトランジスタＴ５の制御接続部と接続されている。第２のポンピング信号ｃｈａは、第４のポンピングコンデンサＣｃｈａを介して、短絡素子Ｓの制御接続部と接続されている。第３のポンピング信号Ｂ１ｃｈａ１は、第５のポンピングコンデンサＣＢ１を介して、第６のトランジスタＴ６の制御接続部と接続されている。
【００２０】
さらに、第５のトランジスタＴ５の制御接続部は、第７のトランジスタＴ７を介してグランドと接続され、且つ第８のトランジスタＴ８を介して第２のポンビングコンデンサＣｐｕｍｐＢの第２の電極ＶＢ１と接続されている。第６のトランジスタＴ６の制御接続部は、第９のトランジスタＴ９を介して、第１のポンピングコンデンサＣｐｕｍｐＡの第２の電極ＶＡ１と接続され、且つ第１０のトランジスタＴ１０を介してグランドと接続されている。トランジスタＴ５〜Ｔ１０は、ｐチャネルトランジスタである。
【００２１】
第７のトランジスタＴ７および第１０のトランジスタＴ１０の制御接続部は、短絡素子Ｓの制御接続部と接続されている。第８のトランジスタＴ８の制御接続部は、第６のトランジスタＴ６の制御接続部と接続され、第９のトランジスタＴ９の制御接続部は、第５のトランジスタＴ５の制御接続部と接続されている。
【００２２】
図７は、図６に図示した信号の変化を示している。図からわかるように、短絡素子Ｓが導通していると（ｃｈａｎ＝低レベル）、第５のトランジスタＴ５と第６のトランジスタＴ６とは遮断されている。第２の電極ＶＡ１，ＶＢ１の一方が適当な入力クロック信号Ａ１，Ｂ１によって正の値にポンピングされると（これらの信号のエッジは正）、この第２の電極と接続されているトランジスタＴ５またはＴ６が通電される。したがって、短絡素子Ｓの制御接続部におけるポテンシャルｃｈａｎは、これと導通接続されている第２の電極ＶＡ１，ＶＢ１におけるポテンシャルの変化に従う。これにより、信号ｃｈａｎの正のピーク値が生じる。このようにして、ｐチャネルトランジスタである短絡素子Ｓが確実に遮断されるよう保証されている。すなわち、この場合、その制御接続部にはそのソースポテンシャルと少なくとも同じ大きさのポテンシャルｃｈａｎが常に印加される。
【００２３】
第７のトランジスタＴ７と第１０のトランジスタＴ１０とは、第５のトランジスタＴ５または第６のトランジスタＴ６が確実に遮断され、他方短絡素子Ｓが導通状態になるよう配慮する。この場合（ｃｈａｎ＝低レベル）、第７のトランジスタＴ７と第１０のトランジスタＴ１０とを介して、第５のトランジスタＴ５と第６のトランジスタＴ６との制御接続部はグランドに接続される。したがって、このとき上記トランジスタのゲート・ソース電圧は正であるため、これらトランジスタは確実に遮断される。
【００２４】
第８のトランジスタＴ８は、短絡素子Ｓが遮断され（ｃｈａｎ＝高レベル）且つ第６のトランジスタＴ６が導通状態になったとき（Ｂ１ｃｈａ＝低レベル）に、第５のトランジスタＴ５を確実に遮断させる。第８のトランジスタＴ８が導通状態になると、第２のポンピングコンデンサＣｐｕｍｐＢの第２の電極ＶＢ１のポテンシャルは、第５のトランジスタＴ５の制御接続部に接続する。同時に、短絡素子Ｓのゲートにおけるポテンシャルｃｈａｎが、第２のポンピングコンデンサＣｐｕｍｐＢの第２の電極ＶＢ１と導通接続されるので、第５のトランジスタＴ５のゲート・ソース電圧は０に等しい。すなわち、第５のトランジスタＴ５は確実に遮断されている。
【００２５】
同様に、第９のトランジスタＴ９は、第６のトランジスタＴ６を遮断させるために用いられ、このとき短絡素子Ｓは遮断され、第５のトランジスタＴ５は導通状態になる。
【００２６】
すなわち、第５のトランジスタＴ５と第６のトランジスタＴ６とは、短絡素子Ｓをその遮断段階の間、確実に遮断させているのに対し、トランジスタＴ７〜Ｔ１０は、第５のトランジスタＴ５または第６のトランジスタＴ６をその異なる遮断段階の間、確実に遮断させている。このようにして、不具合な損失電流が回避されるため、本実施形態のチャージポンプは、ポンピングコンデンサＣｐｕｍｐＡ，ＣｐｕｍｐＢの第２の電極ＶＡ１，ＶＢ１のポテンシャルの望ましくない影響を回避している。
【図面の簡単な説明】
【図１】図１は、従来のチャージポンプの基本構成を示す図である。
【図２】図２は、図１のチャージポンプの信号の変化を示す図である。
【図３】図３は、本発明によるチャージポンプの第１実施形態を示す図である。
【図４】図４は、図３のチャージポンプの信号の変化を示す図である。
【図５】図５は、本発明によるチャージポンプの第２実施形態を示す図である。
【図６】図６は、チャージポンプの他の実施形態の部分図である。
【図７】図７は、図６のチャージポンプの信号の変化を示す図である。
【図１】
0003606838.tif 000002
【図２】
0003606838.tif 000003
【図３】
0003606838.tif 000004
【図４】
0003606838.tif 000005
【図５】
0003606838.tif 000006
【図６】
0003606838.tif 000007
【図７】
0003606838.tif 000008